(57)【要約】      （修正有）【課題】モータを取り外すことなく、レンジフード外でファンケースの流入口から流出口に至るまでの風路内面の略全体を洗浄できるレンジフードを提供する。【解決手段】ファンケース５内には、流入口７ａから流出口に至るまでの風路を形成する風路形成壁７が設けられており、前記風路形成壁は、ファンの外周面および下流側端面を覆うように構成され、フード体３の導風口３ｅは、前記風路形成壁を前記フード体に出し入れ可能な大きさに形成されており、さらに、前記風路形成壁が取り付けられる風路形成壁取付部５と、前記風路形成壁よりも外側に設けられ、かつ、モータ１１が取り付けられるモータ取付部５ｃと、を有し、前記風路形成壁は前記風路形成壁取付部に対して着脱自在に取り付けられることを特徴とするレンジフード。【選択図】図３
2016070605.tif 000002
【特許請求の範囲】
【請求項１】
調理時に発生する油煙を含んだ空気を捕集し、この捕集した空気を下流側に導く導風口を有するフード体と、
回転により前記導風口から前記空気が下流へ流れるよう気流を生じさせるファンと、
前記ファンに回転力を与えるよう駆動するモータと、
前記導風口から前記空気が下流へ流れるよう前記導風口と連通するとともに前記ファンの上流側端面に向かい合う位置に設けられた流入口、および、前記流入口から流入した前記空気を周方向から外部へ排出する排出口を有し、内部に前記ファンを収容するファンケースと、を備え、
前記ファンケース内には、前記流入口から前記流出口に至るまでの風路を形成する風路形成壁が設けられており、
前記風路形成壁は、前記ファンの外周面および下流側端面を覆うように構成され、
前記フード体の前記導風口は、前記風路形成壁を前記フード体に出し入れ可能な大きさに形成されており、
さらに、前記風路形成壁が取り付けられる風路形成壁取付部と、
前記風路形成壁よりも外側に設けられ、かつ、前記モータが取り付けられるモータ取付部と、を有し、
前記風路形成壁は前記風路形成壁取付部に対して着脱自在に取り付けられることを特徴とするレンジフード。
【請求項２】
前記風路形成壁は、前記風路形成壁取付部に取り付けられている際の形状のまま、前記風路形成壁取付部から取り外せるよう構成されていることを特徴とする請求項１に記載のレンジフード。
【発明の詳細な説明】
【技術分野】
【０００１】
本発明は、キッチンで用いられるレンジフードに関する。
【背景技術】
【０００２】
従来から、例えば、特許文献１に記載のように、ファンケースの流入口からファンケースの流出口に至るまでの風路内面全体を、レンジフード外で洗浄可能にしたレンジフードが知られている。
【０００３】
特許文献１に記載のレンジフードでは、フード体に対してファンケースを含む送風機Ａ自体を着脱可能に構成することで、洗浄時は、フード体から送風機Ａを取外し、送風機Ａのファンケースをキッチンの広いスペースで洗浄できるようにしている。これにより、油が付着しやすいファンケースの流入口からファンケースの流出口に至るまでの風路内面全体を洗浄できるようにしている。
【先行技術文献】
【特許文献】
【０００４】
【特許文献１】特開平１１−３１１４３１号公報
【発明の概要】
【発明が解決しようとする課題】
【０００５】
ところが、送風機Ａにはファンケースを回転させるためのモータが内蔵されているため、送風機Ａを取り外す場合、ファンケースを回転させるためのモータを取り外さなければならない。また、特許文献１に記載のレンジフードでは、ファンケースの流入口から流出口に至るまでの風路の一部の内面が、ファンケースに取り付けられている比較的大きなモータの胴部の外面により形成されているため、ファンケースの流入口から流出口に至るまでの風路内面全体をレンジフード外で洗浄するためには、モータを取り外すことが必須となる。
【０００６】
通常、モータには電源からの配線が繋がれており、モータをレンジフードに取り付けたりレンジフードから取り外したりする場合には、こうした配線とモータとの接続作業や取外し作業が必要となるため、非常に取付および取外し作業に手間がかかる。それだけでなく、モータを取り外す場合、モータを誤って落としてしまいモータを故障させる恐れもある。また、取り外した送風機Ａを再度取り付ける際に、モータの配線の接続作業を忘れてしまい、ファンが動作しなくなる恐れもある。
【０００７】
本発明は、上記課題に鑑みてなされたものであり、モータを取り外すことなく、レンジフード外でファンケースの流入口から流出口に至るまでの風路内面の略全体を洗浄できるレンジフードを提供することを目的とする。
【課題を解決するための手段】
【０００８】
上記課題を解決するために、本発明に係るレンジフードは、調理時に発生する油煙を含んだ空気を捕集し、この捕集した空気を下流側に導く導風口を有するフード体と、回転により前記導風口から前記空気が下流へ流れるよう気流を生じさせるファンと、前記ファンに回転力を与えるよう駆動するモータと、前記導風口から前記空気が下流へ流れるよう前記導風口と連通するとともに前記ファンの上流側端面に向かい合う位置に設けられた流入口、および、前記流入口から流入した前記空気を周方向から外部へ排出する排出口を有し、内部に前記ファンを収容するファンケースと、を備え、前記ファンケース内には、前記流入口から前記流出口に至るまでの風路を形成する風路形成壁が設けられており、前記風路形成壁は、前記ファンの外周面および下流側端面を覆うように構成され、前記フード体の前記導風口は、前記風路形成壁を前記フード体に出し入れ可能な大きさに形成されており、さらに、前記風路形成壁が取り付けられる風路形成壁取付部と、前記風路形成壁よりも外側に設けられ、かつ、前記モータが取り付けられるモータ取付部と、を有し、前記風路形成壁は前記風路形成壁取付部に対して着脱自在に取り付けられることを特徴とする。
【０００９】
本発明に係るレンジフードにおいては、ファンケース内には、ファンケースの流入口から流出口に至るまでの風路を形成する風路形成壁が設けられており、この風路形成壁は、ファンの外周面および下流側端面を覆うように構成されている。したがって、ファンケースの流入口から流出口に至るまでの風路内面の略全体が風路形成壁の内面によって構成されるため、ファンケースの流入口から流出口に至るまでの風路の一部が従来のようにモータの胴部の外面によって形成されることがない。そして、この風路形成壁の内面に、ファンケースの流入口から流入した空気の油が付着することとなる。
また、モータは、風路形成壁よりも外側に設けられたモータ取付部に取り付けられると共に、風路形成壁は風路形成壁取付部に対して着脱自在に取り付けられている。したがって、流入口から流出口に至るまでの風路内壁の略全体を洗浄する際には、風路形成壁のみを風路形成壁取付部から取外し、フード体の導風口から取り出すことで、ファンケースの流入口から流出口に至るまでの実質的に油煙を含んだ空気が流れる風路内壁の略全体を洗浄することが可能となる。このため、従来のように、モータを取り外す必要がない。
よって、本発明のレンジフードによれば、モータを取り外すことなく、レンジフード外でファンケースの流入口から流出口に至るまでの風路内面の略全体を洗浄することが可能となる。また、ファンケース内に、風路形成壁を設ける構成であるため、ファンケースおよびモータの配置関係を大きく変える必要もない。
【００１０】
また、本発明に係るレンジフードでは、前記風路形成壁は、前記風路形成壁取付部に取り付けられている際の形状のまま、前記風路形成壁取付部から取り外せるよう構成されていることも好ましい。
【００１１】
この好ましい態様では、風路形成壁は、風路形成壁取付部に取り付けられている際の形状のまま、風路形成壁取付部から取り外せるよう構成されているため、風路形成壁を取り外す際、風路形成壁の形状を変形させずとも、風路形成壁を取り外すことができるため、風路形成壁の取外し作業性を向上させることができる。
【発明の効果】
【００１２】
本発明のレンジフードによれば、モータを取り外すことなく、レンジフード外でファンケースの流入口から流出口に至るまでの風路内面の略全体を洗浄できる。
【図面の簡単な説明】
【００１３】
【図１】本発明の実施形態であるレンジフードの上面斜視図。
【図２】図１に示したレンジフードの断面図。
【図３】図１に示したレンジフードを分解した様子を示す断面図。
【図４】図１に示したファンケースの斜視図。
【図５】図１に示したレンジフードフードを取り外す様子を示す斜視図。
【発明を実施するための形態】
【００１４】
以下、添付図面を参照しながら本発明の実施の形態について説明する。説明の理解を容易にするため、各図面において同一の構成要素に対しては可能な限り同一の符号を付して、重複する説明は省略する。
【００１５】
本発明の実施形態であるレンジフードの構造について図１〜図３を参照しながら説明する。図１は、本発明の実施形態であるレンジフード１の上面斜視図である。
【００１６】
レンジフード１は、フード体３と、ファンケース取付用筺体４を有している。フード体３は、前方側の厚みが薄い薄部３ａと後方側の厚みが厚い厚部３ｂを有している。フード体３の下面側は、調理器から調理時に発生する油煙を含んだ空気を捕集できるよう、上方に側に凹んでいる。
【００１７】
一方、ファンケース取付用筺体４は、フード体３の厚部３ｂ上に配置され、ネジ等で厚部３ｂに固定されている。ファンケース取付用筺体４は、下面が開口した箱状体であり、ファンケース取付用筺体４の内部には、ファンケース５、内ケース７、ファン９、およびモータ１１が配置される。なお、ファン９は横向きにした状態（回転中心軸が鉛直方向と平行になる状態）で配置される。
【００１８】
また、ファンケース取付用筺体４の側方には、排気口４ａが設けられており、ファンケース取付用筺体４内からは、ファンケース５の流出口５ｂが接続される。したがって、排気口４ａは、流出口５ｂと略同一の大きさとなるよう設けられる。一方、ファンケース取付用筺体４外からは、アダプタ１９を介して、Ｌ字型排気ダクト１５の一端が接続される。Ｌ字型排気ダクト１５の他端は、直進排気ダクト１７に繋がれている。なお、アダプタ１９は、面積の異なる排気口４ａとＬ字型排気ダクト１５の一端側の接続口とを連結するために設けられている。それと共に、Ｌ字型排気ダクト１５に繋がれている直進排気ダクト１７がフード体３の上面よりも所定の高さだけ高い位置に配設されるよう、Ｌ字型排気ダクト１５に接続されるアダプタ１９の一端側の接続口の軸心は、排気口４ａと接続されるアダプタ１９の他端側の接続口の軸心よりも高い位置になるようにアダプタ１９内の風路がファンケース取付用筺体４側からＬ字型排気ダクト１５側に向かって上昇するように延びている。
【００１９】
引き続き、図２および図３を用いて、レンジフード１の構造について説明する。図２はレンジフード１の断面図である。図３はレンジフード１を分解した様子を示す断面図である。
【００２０】
フード体３の下面側には、上方に凹状に設けられた第１凹部３ｃ、および第１凹部３ｃの上面側の後方に設けられた、第１凹部３ｃよりもさらに上方に凹んだ第２凹部を有している。第２凹部３ｄ内には、後述するオイルパック２３が収められ、第１凹部３ｃには、整流板２１が収められている。
【００２１】
整流板２１は、長方形状の薄板であり、整流板２１は、第１凹部３ｃの上面に着脱自在に取り付けられている。なお、整流板２１が取り付けられた状態では、整流板２１と第１凹部３ｃの側面との間に調理時に発生する油煙を含んだ空気を吸い込むための隙間（吸気口）２２が整流板２１の四方に形成されるようになっている。また、整流板２１には、空気を吸い込むためのスリット２１ｂが別途設けられている（図５参照）。
【００２２】
一方、オイルパック２３は、ドーナツ状に窪んだオイル溜め部２３ａを有しており、このオイル溜め部２３ａの内側の側壁は、上方に向かって筒状に突出する内側筒状突出部２３ｂにより構成され、一方、外側の側壁は、上方に向かって筒状に突出する外側筒状突出部２３ｃにより構成されている。外側筒状突出部２３ｃは、周方向に複数の溝２３ｄが設けれており、この溝２３ｄと、第２凹部３ｄの側壁の裏側に周方向に複数取り付けられた板バネ３ｆの、第２凹部３ｄの側壁から突出する凸部３ｆａとが係合するように構成されている。板バネ３ｆの凸部３ｆａは、第２凹部３ｄ内へ向かって押圧する力を溝２３ｄに加えるため、オイルパック２３はその周面が板バネ３ｆで挟まれるようにして第２凹部３ｄに取り付けられる。また、周面を板バネ３ｆの押圧力で挟むようにして取り付けているので、オイルパック２３を下方に移動させるよう下方に引張ると、溝２３ｄから突部３ｆａが外れて、オイルパック２３を取り外すことができる。オイルパック２３は、このようにして、第２凹部３ｄに着脱自在に取り付けられる。
【００２３】
また、フード体３の上面には、第２凹部３ｄと連通する導風口３ｅが設けられている。フード体３が捕集した煙油を含む空気は、この導風口３ｅを通過して、下流側に流れていく。
【００２４】
ファンケース５は、下面が開口した箱状体であり、流入口５ａが設けられた下端から外方に延びるフランジが導風口３ｅの周縁を覆うようにしてフード３の上面に固定されている。導風口３ｅから下流に流れる油煙を含む空気は、ファンケース５の流入口５ａを通過してさらに下流へ流れていく。内ケース７は、ファンケース５の外形と同様の外形を有しており、ファンケース５内の上部には、内ケース７が着脱自在に取り付けられる。ファンケース５の上面には、ファンケース５の上面の端部から側壁にかけて延びる複数の板バネ５ｄがネジで固定されている。板バネ５ｄは、その先端に突部５ｄａを有しており、突部５ｄａは、ファンケース５の側壁に設けられた孔５ｆからファンケース５の内部に突出している。内ケース７の側周板７ｈの上部には、この突部５ｄａと係合する溝７ｅが周方向に複数設けられており、この複数の溝７ｅに、内方への押圧力を加える板バネ５ｄの突部５ｄａが係合することにより、側周板７ｈが複数のバネ板５ｄで挟まれ、これにより内ケース７はこのファンケース５に取り付けられる。なお、内ケース７を取り外す際は、この内ケース７を下方に下げる力を加え、板バネ５ｄから加えられる押圧力に打ち勝つことで、板バネ５ｄの突部５ｄａが内ケース７の溝７ｅから外れ、ファンケースを取り外すことができる。内ケース７はこのようにして、ファンケース５に着脱自在に取り付けられている。
【００２５】
ファンケース５の上面には、モータ１１を取り付けるための凹部５ｃおよびモータ１１を挿入するモータ挿入孔５ｇが設けられており、モータ１１は、モータ胴部１１ａから外方に放射状に延びる取付用フランジ１１ｂを有しており、この取付用フランジ１１ｂを凹部５ｃの底面に図示しないネジ等で固定することにより、モータ１１はファンケース５に取り付けられる。
【００２６】
内ケース７の上面には、段状に２つの窪みが設けられており、窪みの浅い第１窪み部７ｃと、第１窪み部７ｃの底面に設けられた第２窪み部７ｄが設けられている。また、第２窪み部７ｄの底面には、モータ１１の回転軸１２を挿入するための回転軸挿入孔７ｆが設けられている。
【００２７】
内ケース７をファンケース５に取り付けた状態では、第１窪み部７ｃに、凹部５ｃが入り込み、第２窪み部７ｄにモータ１１のモータ胴部１１ａの下部が入り込むようになっている。したがって、これらの第１窪み部７ｃ、第２窪み部７ｄによって、モータ胴部１１ａおよびファンケース５の凹部５ｃが覆い隠される。また、内ケース７をファンケース５に取り付けた状態では、ファンケース５の流入口５ａは、内ケース７の底板７ｇによって覆われる。
【００２８】
内ケース７をファンケース５に取り付けた状態では、内ケース７内に、モータ１１に取り付けられている回転軸１２が、上方から下方に延びている。この回転軸１２の先端にファン９の中心にある回転軸取付部９ａが着脱自在に接続されるように構成されている。
【００２９】
続いて内ケース７の構造についてより詳しく説明する。図４（Ａ）および図４（Ｂ）はそれぞれ、内ケース７を下面から見た斜視図および上面から見た斜視図である。内ケース７は、底板７ｇ、側周板７ｈ、および天板７ｋを有しており、これらが一体に形成されている。底板７ｇには、流入口７ａが設けられており、側周板７ｈには、流出口７ｂが設けられている。流入口７ａは、ファン９の上流側端面９ｂ（図２参照）と向かい合う位置に形成され、ファン９の径より大きな径を有しており、流入口７ａを介して、中からファン９を外に取り出せるようにしている。また、天板７ｋはモータ１１のモータ胴部１１ａおよびファンケース５の上部を覆うように設けられている。また、内ケース７はファンケース５と同様の外形をしており、内ケース７をファンケース５に取り付けた状態では、ファンケース５の流入口５ａは、流入口７ａを有する内ケース７の底板７ｇによって覆われると共に、ファンケース５の流出口５ｂは、内ケース７の流出口７ｂによって覆われる。内ケース７は、ファンケース５に取り付けられた状態において、ファンケース５の内周面を略全て覆うように構成されているため、内ケース７がファンケース５に取り付けられた状態では、ファンケース５の流入口５ａから流出口５ｂに至る風路８は、略全て内ケース７の内面によって形成されることとなる。つまり、内ケース７の底板７ｇ、側周板７ｈ、および天板７ｋが風路８を形成する風路形成壁となる。なお、側周板７ｈおよび天板７ｋはそれぞれ、ファン９の外周面９ｃおよび下流側端面９ｄを覆うように構成されている。
【００３０】
上述したように、ファンケース５の流入口５ａから流出口５ｂに至る風路８は、略全て内ケース７の内面によって形成されるため、風路８内面全体をレンジフード１外の広いオープンスペース等で洗浄する場合は、この内ケース７を取り外すだけで十分であり、従来のようにモータ１１を取り外す必要はない。
【００３１】
続いて、内ケース７を取り外す工程について説明する。図５は、内ケース７を取り外す様子を示した斜視図である。
【００３２】
内ケース７を取り外す際、まず、整流板２１を取り外し、続いてオイルパック２３を下方に引っ張り、オイルパック２３を取り外す。そして、回転軸１２に着脱自在に取り付けられたファン９を取外し後、ファンケース５に着脱自在に取り付けられている内ケース７を下方に引っ張り（下方に力を加え）、ファンケース５から取り外す。なお、内ケース７を取り外す際には、内ケース７がファンケース５に取り付けられている状態のときと同一の形状のまま、ファンケース５から取り外すことができる。
【００３３】
使用者は、このようにして内ケース７を取り外し、レンジフード１外で内ケース７を洗浄することができる。また、内ケース７をファンケース５に取り付けている状態では、ファンケース５内面は内ケース７で覆われているため、清掃時にファンケース５内に手を挿入してファンケース５内面を清掃する作業を行う必要がない。したがって、使用者が高い位置にあるファンケース５を清掃する手間を省くことができる。なお、内ケース７を洗浄した後は、上述した工程と逆の工程で部品をレンジフード１に取り付けていけば良い。
【符号の説明】
【００３４】
１：レンジフード
３：フード体
３ａ：薄部
３ｂ：厚部
３ｃ：第１凹部
３ｄ：第２凹部
３ｅ：導風口
３ｆ：板バネ
４：ファンケース取付用筺体
４ａ：排気口
５：ファンケース（風路形成壁取付部）
５ａ：流入口
５ｂ：流出口
５ｃ：凹部（モータ取付部）
５ｄ：板バネ
５ｄa：突部
５ｆ：孔
５ｇ：モータ挿入孔
７：内ケース（風路形成壁）
７ａ：流入口
７ｂ：流出口
７ｃ：第１窪み部
７ｄ：第２窪み部
７ｅ：溝
７ｆ：回転軸挿入孔
７ｇ：底板
７ｈ：側周板
７ｋ：天板
８：風路
９：ファン
９ａ：回転軸取付部
９ｂ：上流側端面
９ｃ：外周面
９ｄ：下流側端面
１１：モータ
１１ａ：モータ胴部
１１ｂ：取付用フランジ
１２：回転軸
１５：Ｌ字型排気ダクト
１７：直進排気ダクト
１９：アダプタ
２１：整流板
２１ａ：軸支部
２１ｂ：スリット
２２：隙間（吸気口）
２３：オイルパック
２３ａ：オイル溜め部
２３ｂ：内側筒状突出部
２３ｃ：外側筒状突出部
２３ｄ：溝
２３ｆ：連通路
【図１】
2016070605.tif 000003
【図２】
2016070605.tif 000004
【図３】
2016070605.tif 000005
【図４】
2016070605.tif 000006
【図５】
2016070605.tif 000007